【手続補正書】
【提出日】平成25年11月18日(2013.11.18)
【手続補正１】
【補正対象書類名】特許請求の範囲
【補正対象項目名】全文
【補正方法】変更
【補正の内容】
【特許請求の範囲】
【請求項１】
メモリディスクを輸送する汎用ディスク輸送容器であって、
対向側壁、対向端壁、開放上部、および開放底部を有するカセットと、
前記開放上部を覆う上蓋と、
前記開放底部を覆う下蓋と、を備え、
前記カセットの前記対向側壁がそれぞれ垂直上部と内向き収束底部とを有するとともに複数の内向き細長垂直リブを有しており、隣接するリブが垂直または略垂直に互いに間隔をおいてアレイ状に配置される様々な厚さのメモリディスクを保持するスロットを画定し、各リブが前記開放上部近傍から前記開放底部近傍まで連続しており、各リブは前記対向側壁の前記垂直上部において直線上部を有するとともに前記対向側壁の前記収束底部において収束下部を有しており、また、各リブは前記開放上部よりも前記開放底部に近い位置にて断面が厚い厚肉部を有しており、隣接するリブによって画定される前記スロットが前記厚肉部によって狭窄化されている、ディスク輸送容器。
【請求項２】
一対の隣接するスロット内に配置される０．０２５インチ厚のディスクがそれぞれ各自のスロットに収容されて前記一対の隣接するスロットの他方に向かって傾斜する際に互いに接触しないように、前記リブが、０．０２５インチ厚のディスクと０．０５０インチ厚のディスクを受け入れて収容するスロットを画定するように構成されている、請求項１のディスク輸送容器。
【請求項３】
前記上蓋が、前記ディスクが収容されたときに前記カセット内の各ディスクと接触する係合部を有しており、前記上蓋が各ディスク用の個別のロケータを有していない、請求項１のディスク輸送容器。
【請求項４】
前記ディスク輸送容器は、各スロット内にそれぞれ配置される複数のディスクと組み合わせて用いられ、前記カセットが、各側壁の前記収束底部に隣接する弓状着座部にのみ各ディスクを着座させるように構成されている、請求項１〜３の何れか一項のディスク輸送容器。
【請求項５】
前記カセットに装填される複数のディスクをさらに備え、前記上蓋が前記カセットに装着され、前記下蓋が前記カセットに装着され、前記カセットの前記側壁を内方に偏向させるのに十分な真空で前記ディスク輸送容器を包囲することにより、前記複数のディスクを定位置に固定して輸送中に前記複数のディスクが前記カセットに対して認識可能に移動しないようにする真空バッグをさらに備える請求項１〜３の何れか一項のディスク輸送容器。
【請求項６】
メモリディスクを輸送する汎用ディスク輸送容器であって、
対向側壁、対向端壁、開放上部、および開放底部を有するカセットと、
前記開放上部を覆う上蓋と、
前記開放底部を覆う下蓋と、を備え、
前記カセットの前記対向側壁がそれぞれ垂直上部と内向き収束底部とを有するとともに複数の内向き細長垂直リブを有しており、隣接するリブがメモリディスクを保持するスロットを画定し、
前記上蓋が、複数のディスクが収容された際に前記カセット内の各ディスクと接触する係合部を有しており、前記上蓋が前記カセットに装着され、前記上蓋が各ディスクと個々に係合する個別のロケータを有さないことによって、異なる厚さのディスクおよび異なる数のディスクと共にカセット上で前記上蓋が利用可能である、ディスク輸送容器。
【請求項７】
一対の隣接するスロット内に配置される０．０２５インチ厚のディスクがそれぞれ各自のスロットに収容されて前記一対の隣接するスロットの他方に向かって傾斜する際に互いに接触しないように、前記リブが、０．０２５インチ厚のディスクと０．０５０インチ厚のディスクを受け入れて収容するスロットを画定するように構成されている、請求項６のディスク輸送容器。
【請求項８】
前記上蓋に互いに平行に延びる２つの係合部があり、各係合部が平面状であり、かつ各係合部の全長に沿って連続している、請求項６のディスク輸送容器。
【請求項９】
前記カセットに装填される複数のディスクをさらに備え、前記上蓋が前記カセットに装着され、前記下蓋が前記カセットに装着され、前記カセットの前記側壁を内方に偏向させること、および前記上蓋を下方に偏向させることのうち少なくともいずれかに十分な真空で前記ディスク輸送容器を包囲することによって、各ディスクを定位置に固定して輸送中の移動を防止する真空バッグをさらに備える請求項６〜８の何れか一項のディスク輸送容器。
【請求項１０】
ディスク輸送システムであって、
特定のディスク径のサイズに合わせた複数カセットの目録であって、０．０２５、０．０３１５、０．０４０、０．０５０、０．０６９インチ厚のディスクのうちの少なくとも２つを収容可能なスロットをそれぞれ有する複数カセットの目録と、
個々のディスク用の個別のロケータを持たないが上縁ディスク係合部を有する汎用上蓋の目録と、
下蓋の目録と、
組み立てられてディスク装填されたカセットを封止する真空バッグの目録と、
を備えるディスク輸送システム。
【請求項１１】
各カセットが一対の対向側壁を有し、各側壁が垂直上部と内向き収束底部とを有し、各カセットが前記一対の対向側壁の複数のリブによって画定される複数のスロットをさらに有し、各リブが前記側壁の前記垂直上部において直線上部を有するとともに前記側壁の前記収束底部において収束下部を有しており、また、各リブは前記開放上部よりも前記開放底部に近い位置にて厚肉部を有しており、前記厚肉部が該厚肉部の位置にて前記スロットを狭窄化する、請求項１０のディスク輸送システム。
【請求項１２】
特定径を有するとともに０．０２５インチ、０．０３１５インチ、０．０４０インチ、０．０５０インチ、および０．０６９インチから選択される少なくとも２つの異なる厚さを有する複数ディスクを輸送するディスク輸送方法であって、
単一サイズのスロットを有する単一サイズの複数カセットの目録であって、前記特定径のディスクのサイズに合わせられており、０．０２５インチ、０．０３１５インチ、０．０４０インチ、０．０５０インチ、０．０６９インチ厚のディスクのうちの少なくとも２つを収容可能なスロットをそれぞれ有する複数カセットの目録を提供するステップと、
前記目録の複数カセットに複数ディスクを装填するステップと、
複数の上蓋の目録を提供し、前記装填後の複数カセットのそれぞれに上蓋を装着し、０．０２５インチ、０．０３１５インチ、０．０４０インチ、０．０５０インチ、０．０６９インチ厚のディスクのうち少なくとも２つに対応する上蓋を利用するステップと、
前記複数カセットのそれぞれに下蓋を装着するステップと、
を備えるディスク輸送方法。
【請求項１３】
前記上蓋と下蓋の装着後に前記装填後の複数カセットのそれぞれを真空パックするステップをさらに備える請求項１２のディスク輸送方法。
【請求項１４】
前記カセットの側壁を内方に偏向させるとともに前記上蓋を下方に引っ張って各ディスクに係合させるのに十分な真空を前記装填後の各カセットに提供することにより各ディスクを前記カセット内の定位置に固定するステップと、
より薄いディスクのわずかな傾斜が収容時において許容されるように、個別のロケータがない線形または平面状上縁ディスク係合部を有する汎用上蓋の目録を提供するステップと、をさらに備え、
ディスク輸送容器の蓋と側壁が前記複数ディスク側に誘引されて前記複数ディスクを定位置に固定するように前記ディスク輸送容器が十分な真空下で真空パックされる、請求項１３のディスク輸送方法。
【請求項１５】
メモリディスク輸送用の汎用ディスク輸送容器であって、
対向側壁、対向端壁、開放上部、および開放底部を有するカセットと、
前記開放上部を覆う上蓋と、
前記開放底部を覆う下蓋と、
異なるディスク厚または異なる収容能力のいずれかで変化する異なるディスク装填に対応する手段と、
を備える汎用ディスク輸送容器。
【請求項１６】
前記異なるディスク装填に対応する手段が、異なるディスク厚でディスク装填を変化させることを含み、前記複数のカセットの各々が、薄い側の厚さと厚い側の厚さとの少なくとも２つの異なるディスク厚の装填に対応するように構成され、各カセットは複数のスロットを画定するリブを有し、前記複数のスロットは、前記薄い側の厚さのディスクを前記複数のスロット内にて傾斜させつつ互いに接触させないように構成されている、請求項１５の汎用ディスク輸送容器。
【請求項１７】
前記上蓋が、前記カセット内にディスクが収容されたときに各ディスクに接触する係合部を有し、前記上蓋が、各ディスクに個々に係合するディスク毎の個別のロケータを有していない、請求項１５又は１６の汎用ディスク輸送容器。
【請求項１８】
前記汎用ディスク輸送容器は、各スロットにディスクが配置される複数のディスクと組み合わせて用いられ、前記カセットが、前記各側壁の収束底部に隣接する弓状着座部にのみ各ディスクを着座させるように構成されており、前記カセットの前記側壁が内方へ屈曲していない、請求項１５又は１６の汎用ディスク輸送容器。
【請求項１９】
前記カセットに装填される複数のディスクをさらに備え、前記上蓋が前記カセットに装着され、前記下蓋が前記カセットに装着され、前記カセットの前記側壁を内向きに偏向させるのに十分な真空でディスク輸送容器を包囲することによって、前記複数のディスクを定位置に固定して輸送中に前記複数のディスクが前記カセットに対して認識可能に移動しないようにする真空バッグをさらに備える請求項１５又は１６の汎用ディスク輸送容器。
【請求項２０】
前記カセットに装填される複数のディスクをさらに備え、前記上蓋が前記カセットに装着され、前記下蓋が前記カセットに装着され、前記カセットの前記側壁を内方に偏向させるとともに前記上蓋を内方に引っ張るのに十分な真空でディスク輸送容器を包囲することにより、各ディスクを前記上蓋に係合させて定位置に固定し輸送中の移動を防止する真空バッグをさらに備える請求項１５又は１６の汎用ディスク輸送容器。
【請求項２１】
前記カセットが０．０２５、０．０３１５、０．０４０、０．０５０、０．０６９インチ厚のディスクのうちの少なくとも２つを収容可能である、請求項１５又は１６の汎用ディスク輸送容器。
【請求項２２】
各カセットに収容される異なるディスク厚のディスクのうち最小厚ディスクの最大傾斜が垂直から２度未満であり、前記最小厚ディスクの隣接対のディスクが相互に傾斜したときに互いに接触することがない、請求項１５又は１６の汎用ディスク輸送容器。
【手続補正２】
【補正対象書類名】明細書
【補正対象項目名】発明の名称
【補正方法】変更
【補正の内容】
【発明の名称】汎用ディスク輸送容器、ディスク輸送システム及び方法